(57)【特許請求の範囲】
【請求項１】
プラント監視に関する処理を行う第一の中央処理装置（以下ＣＰＵという）、上記第一のＣＰＵの処理と同じ処理を行う第二のＣＰＵ、上記第一のＣＰＵ及び第二のＣＰＵに接続され、第一のＣＰＵの出力及び第二のＣＰＵの出力のいずれかを選択して出力する回線切替装置、上記第一のＣＰＵと上記回線切替装置の間に接続され、上記第一のＣＰＵの出力を表示する第一のラインモニタ、上記第二のＣＰＵと上記回線切替装置の間に接続され、上記第二のＣＰＵの出力を表示する第二のラインモニタ、及び修正用のプログラムまたはデータを入力する保守用端末を備え、第一のＣＰＵの出力が上記回線切替装置によって選択されているとき、上記保守用端末から入力された修正用のプログラムまたはデータにより、第二のＣＰＵのプログラムまたはデータベースを修正処理し、修正済みのプログラムまたはデータベースを用いて処理した第二のＣＰＵの出力が表示された上記第二のラインモニタの表示と、上記第一のＣＰＵの出力が表示された上記第一のラインモニタの表示とを比較して、上記第二のＣＰＵの処理内容をユーザにより確認した後、上記回線切替装置の出力を第一のＣＰＵから第二のＣＰＵに切替えることを特徴とするプラント監視システム。
【請求項２】
プラント監視に関する処理を行う第一のＣＰＵ、上記第一のＣＰＵの処理と同じ処理を行う第二のＣＰＵ、上記第一のＣＰＵ及び第二のＣＰＵに接続され、第一のＣＰＵの出力及び第二のＣＰＵの出力のいずれかを選択して出力する回線切替装置、上記第一のＣＰＵと上記回線切替装置の間に接続され、上記第一のＣＰＵの出力を分配する第一の分配器、上記第二のＣＰＵと上記回線切替装置の間に接続され、上記第二のＣＰＵの出力を分配する第二の分配器、上記第一の分配器から分配された第一のＣＰＵの出力及び第二の分配器から分配された第二のＣＰＵの出力が入力される比較手段、及び修正用のプログラムまたはデータを入力する保守用端末を備え、第一のＣＰＵの出力が上記回線切替装置によって選択されているとき、上記保守用端末から入力された修正用のプログラムまたはデータにより、第二のＣＰＵのプログラムまたはデータベースを修正処理し、修正済みのプログラムまたはデータベースを用いて処理した第二のＣＰＵの出力と上記第一のＣＰＵの出力を上記比較手段で比較して相違点を上記保守用端末に出力して、第二のＣＰＵの処理内容をユーザにより確認した後、上記回線切替装置の出力を上記第一のＣＰＵから上記第二のＣＰＵに切替えることを特徴とするプラント監視システム。
【請求項３】
プラント監視に関する処理を行う第一のＣＰＵ、上記第一のＣＰＵの処理と同じ処理を行うと共に上記第一のＣＰＵの出力が入力される第二のＣＰＵ、上記第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が上記回線切替装置によって選択されているとき、上記保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を上記第二のＣＰＵで比較して相違点を上記保守用端末に出力して、第二のＣＰＵの処理内容をユーザにより確認した後、上記回線切替装置の出力を第一のＣＰＵから第二のＣＰＵに切替えることを特徴とするプラント監視システム。
【請求項４】
プラント監視に関する処理を行う第一のＣＰＵ、上記第一のＣＰＵの処理と同じ処理を行うと共に出力が上記第一のＣＰＵに入力される第二のＣＰＵ、上記第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が上記回線切替装置によって選択されているとき、上記保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を上記第一のＣＰＵで比較して相違点を上記保守用端末に出力して、第二のＣＰＵの処理内容をユーザにより確認した後、上記回線切替装置の出力を第一のＣＰＵから第二のＣＰＵに切替えることを特徴とするプラント監視システム。
【請求項５】
比較手段は、保守用端末にインストールされていることを特徴とする請求項２記載のプラント監視システム。
【請求項６】
保守用端末は、回線切替装置と接続され、上記保守用端末に広域通信網を介して接続された遠隔保守用端末を備え、上記遠隔保守用端末は、修正用のプログラムまたはデータの入力、及び上記第一のＣＰＵと第二のＣＰＵの出力の相違点の出力、並びに上記回線切替装置の切替えを行うことを特徴とする請求項２〜請求項５のいずれか一項記載のプラント監視システム。
【発明の詳細な説明】
【０００１】
【発明の属する技術分野】
この発明は、プログラムあるいはデータベースの変更をシステムを停止させることなく実現するプラント監視システムに関するものである。
【０００２】
【従来の技術】
図９は、特公昭５８−８０１６号公報に記載された従来のプラント監視装置の無停止切替方式を搭載したシステム構成図である。
図９において、１、２は中央処理装置（以下ＣＰＵという）、３、４はバス共有機構、５は高速外部記憶装置で、バス共有機構３を介してＣＰＵ１、２、に共有されている。６は中速外部記憶装置で、バス共有機構４を介して、ＣＰＵ１、２に共有されている。７、８はそれぞれのＣＰＵ１、２への情報入力を行うシステムコンソールである。９は端末中継用ＣＰＵであり、入出力端末１０、プロセス入力装置１１が接続され、通信制御装置１２、１３及び通信制御装置１２、１３間に介在させた通信装置１４を経て、ＣＰＵに共有されるように接続されている。
【０００３】
このように構成されたプラント監視装置では、ＣＰＵ１とＣＰＵ２との切替は、切替管理プログラムを、ＣＰＵ１とＣＰＵ２で稼働させることによって無停電で行うことができる。
【０００４】
【発明が解決しようとする課題】
従来のプラント監視装置の無停電切替方式では、プラント監視装置が他のシステムへデータ伝送する機能を有するとき、主系のＣＰＵから待機系のＣＰＵに切替える前に待機側の内容を確認する機能を有していないため、間違ったプログラム及びデータが待機系のＣＰＵにローディングされているかどうか切替えた後でしか、わからない点が課題であった。原子力発電プラント監視装置のような間違った情報出力が許容されないようなシステムでは、ローディングされたプログラム及びデータが正しいかどうか、系切替を実施する前に確認する手段を講じる必要がある。
【０００５】
この発明は、上記のような課題を解決するためになされたものであり、主系から待機系に系切替する前に待機系に正しいプログラム及びデータがローディングされているか否かを確認するための機能を具備したプラント監視システムを得ることを目的としている。
【０００６】
【課題を解決するための手段】
この発明に係わるプラント監視システムにおいては、プラント監視に関する処理を行う第一のＣＰＵ、第一のＣＰＵの処理と同じ処理を行う第二のＣＰＵ、第一のＣＰＵ及び第二のＣＰＵに接続され、第一のＣＰＵの出力及び第二のＣＰＵの出力のいずれかを選択して出力する回線切替装置、第一のＣＰＵと回線切替装置の間に接続され、第一のＣＰＵの出力を表示する第一のラインモニタ、第二のＣＰＵと回線切替装置の間に接続され、第二のＣＰＵの出力を表示する第二のラインモニタ、及び修正用のプログラムまたはデータを入力する保守用端末を備え、第一のＣＰＵの出力が上記回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力が表示された第二のラインモニタの表示と、第一のＣＰＵの出力が表示された第一のラインモニタの表示とを比較して、第二のＣＰＵの処理内容をユーザにより確認した後、回線切替装置の出力を第一のＣＰＵから第二のＣＰＵに切替えるものである。
【０００７】
また、プラント監視に関する処理を行う第一のＣＰＵ、第一のＣＰＵの処理と同じ処理を行う第二のＣＰＵ、第一のＣＰＵ及び第二のＣＰＵに接続され、第一のＣＰＵの出力及び第二のＣＰＵの出力のいずれかを選択して出力する回線切替装置、第一のＣＰＵと回線切替装置の間に接続され、第一のＣＰＵの出力を分配する第一の分配器、第二のＣＰＵと回線切替装置の間に接続され、第二のＣＰＵの出力を分配する第二の分配器、第一の分配器から分配された第一のＣＰＵの出力及び第二の分配器から分配された第二のＣＰＵの出力が入力される比較手段、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を比較手段で比較して相違点を保守用端末に出力して、第二のＣＰＵの処理内容をユーザにより確認した後、回線切替装置の出力を第一のＣＰＵから第二のＣＰＵに切替えるものである。
【０００８】
また、プラント監視に関する処理を行う第一のＣＰＵ、第一のＣＰＵの処理と同じ処理を行うと共に第一のＣＰＵの出力が入力される第二のＣＰＵ、第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を第二のＣＰＵで比較して相違点を保守用端末に出力して、第二のＣＰＵの処理内容をユーザにより確認した後、回線切替装置の出力を第一のＣＰＵから第二のＣＰＵに切替えるものである。
【０００９】
さらに、プラント監視に関する処理を行う第一のＣＰＵ、第一のＣＰＵの処理と同じ処理を行うと共に出力が第一のＣＰＵに入力される第二のＣＰＵ、第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を第一のＣＰＵで比較して相違点を保守用端末に出力して、第二のＣＰＵの処理内容をユーザにより確認した後、回線切替装置の出力を第一のＣＰＵから第二のＣＰＵに切替えるものである。
【００１０】
また、比較手段は、保守用端末にインストールされているものである。
【００１１】
さらにまた、保守用端末は、回線切替装置と接続され、保守用端末に広域通信網を介して接続された遠隔保守用端末を備え、遠隔保守用端末は、修正用のプログラムまたはデータの入力、及び第一のＣＰＵと第二のＣＰＵの出力の相違点の出力、並びに回線切替装置の切替えを行うものである。
【００１２】
【発明の実施の形態】
実施の形態１．
以下、この発明の実施の形態１を図に基づいて説明する。
図１は、この発明の実施の形態１によるプラント監視装置のハードウェア構成を示す図である。
図において、２１は主系と待機系の２重系で構成されたプラント監視装置、２２はプラント監視装置２１から出力される情報を遠隔地などで受信する受信装置、２３はプラント監視装置２１の出力情報を送信するための通信回線である。２４はプラント監視装置２１のプログラムやデータベースを変更／修正するための保守用入力端末で、プラント監視装置２１の主系と待機系のＣＰＵにそれぞれ接続されている。
【００１３】
２５は第一のＣＰＵである主系のＣＰＵＡ、２６はＣＰＵＡ２５の処理結果を出力する出力装置Ａである。
２７は主系の出力と待機系の出力を切替える回線切替装置である。２９は第二のＣＰＵである待機系のＣＰＵＢで、通常は使用されることはないが、常に処理はＣＰＵＡ２５と同様に行っており、ＣＰＵＢ２９の出力内容は、出力装置Ｂ３０を通じて回線切替装置２７に出力される。３１は主系の出力装置Ａ２６と回線切替装置２７との間に挿入された第一のラインモニタであるラインモニタＡ、３２は待機系の出力装置Ｂ３０と回線切替装置２７との間に挿入された第二のラインモニタであるラインモニタＢである。
【００１４】
図２は、この発明の実施の形態１によるプラント監視装置の動作を示すフロー図である。
【００１５】
このように構成されたプラント監視装置においては、主系のＣＰＵＡ２５と待機系ＣＰＵＢ２９による出力は、回線切替装置２７で取捨選択される。この回線切替装置２７の切替は、自己診断機能やユーザの要求によって行うことができる。
今、主系のＣＰＵＡ２５にて出力された情報が回線切替装置２７を通じて受信装置２２に出力されている状態を考える。待機系のＣＰＵＢ２９も同様の処理をしているが、回線切替装置２７では、待機系の出力回線は接続されていない。
この状態で待機系のＣＰＵＢ２９のプログラムあるいはデータベースを、保守用入力端末２４を通じて変更／修正すると、主系の出力内容と待機系の出力内容が異なってくる。修正後は待機系の出力が正しいので、回線切替装置２７をユーザの操作により、主系ＣＰＵＡ２５から待機系ＣＰＵＢ２９へ接続を切替える。
その切替を行う前に、ＣＰＵＢ２９の出力内容が妥当であることを確認する必要がある。そのために、それぞれのＣＰＵの出力結果が回線切替装置２７に入力する前に、ラインモニタを挿入し確認する。
このため、主系の出力装置Ａ２６に接続したラインモニタＡ３１を設置すると共に、待機系の出力装置Ｂ３０に接続したラインモニタＢ３２を設置している。
【００１６】
次に実施の形態１での動作事例について、図２を用いてさらに詳しく説明する。
最初はＣＰＵＡ２５とＣＰＵＢ２９では同一のプログラム、同一データベースにより処理が実施されており、処理結果は両方とも同一で、出力データを「ＡＡＢＢＣＣ」とする。ラインモニタＡ３１とラインモニタＢ３２には同一出力が表示される。次に保守用入力端末２４により、待機系ＣＰＵＢ２９のプログラムあるいはデータベースを変更し（ステップＳ２１）、待機系のＣＰＵＢ２９の実行（ステップ２２）により出力データが「ＡＡＢＢＤＤ」となったとすると、ラインモニタＢ３２では出力データが「ＡＡＢＢＤＤ」となり（ステップＳ２３）、ラインモニタＡ３１とラインモニタＢ３２の出力内容を比較し（ステップＳ２４）、変更目的と一致していれば回線切替装置２７の接続を、主系のＣＰＵＡ２５側から待機系のＣＰＵＢ２９側に切替える（ステップＳ２５）。
【００１７】
実施の形態２．
図３は、この発明の実施の形態２によるプラント監視装置のハードウェア構成を示す図である。
図において、２１〜３０は図１におけるものと同一のものである。３３は出力装置Ａ２６と回線切替装置２７の間に挿入された第一の分配器である分配器Ａ、３４は出力装置Ｂ３０と回線切替装置２７の間に挿入された第二の分配器である分配器Ｂである。３５は分配器Ａ３３及び分配器Ｂ３４を通じて入力される主系のＣＰＵＡ２５及び待機系のＣＰＵＢ２９の出力内容を比較する比較手段としての比較装置であり、プラント監視装置の外部に設けられている。
図４は、この発明の実施の形態２によるプラント監視装置の動作を示すフロー図である。
【００１８】
実施の形態１では、ラインモニタＡ３１とラインモニタＢ３２を用いて、主系及び待機系の出力内容をユーザが目視にて比較確認することを実施したが、出力内容が複雑になったり、あるいは出力データ量の規模が大きくなったりすると目視によるデータ比較には限界が生じる。その場合、ラインモニタの代替として、分配器を設け、分配器の出力をプラント監視装置２１の外部に取り出し、それぞれの出力を取り込み処理、比較処理を実施する比較装置３５を設置する。分配器Ａ３３が主系のＣＰＵＡ２５の出力のコピーを比較装置３５に伝送する機能を具備し、分配器Ｂ３４は、待機系のＣＰＵＢ２９の出力のコピーを比較装置３５に伝送する機能を具備する。
【００１９】
次に、実施の形態２の動作事例を図４を用いて説明する。
待機系ＣＰＵＢ２９のプログラムまたはデータベースの修正（ステップＳ４）及び修正したプログラムの実行（ステップＳ４２）は、実施の形態１と同様にして行う。分配器Ａ３３の出力「ＡＡＢＢＣＣ」を比較装置３５にて取り込む。また分配器Ｂ３４の出力「ＡＡＢＢＤＤ」を比較装置３５に取り込む（ステップＳ４３）。比較装置３５ではそれぞれの出力内容を比較し（ステップＳ４４）、ＣＰＵＡ２５の出力内容「ＡＡＢＢＣＣ」とＣＰＵＢ２９の出力内容「ＡＡＢＢＤＤ」を端末出力し、比較結果として「相違点 第７、８バイト目にてＣＰＵＡでは、ＣＣ、ＣＰＵＢではＤＤを出力している」と表示する（ステップＳ４５）。また、比較装置３５では各出力のデータから出力内容を比較し、相違した出力のアドレスとそれぞれのデータを提示する。その内容がユーザが変更したプログラムから出力される変更内容と一致しているか否かを確認して、予定通りであれば回線切替装置２７の出力を切替える。
【００２０】
実施の形態３．
図５は、この発明の実施の形態３によるプラント監視装置のハードウェア構成を示す図である。
図５において、２１〜３０は図１におけるものと同一のものである。
図６は、この発明の実施の形態３によるプラント監視装置の動作を示すフロー図である。
実施の形態２では、出力データの比較装置３５を用いて実質的な出力データの事前確認ができたが、比較装置３５を設置する必要があるため、装置としては追加されることになり、経済性の改善余地がある。実施の形態３では、各々の制御系で他系の出力内容を取り込み、いずれかのＣＰＵにて比較処理も実施し、その結果を保守用入力端末２４にて確認するようにした。
すなわち、図５において、出力装置Ａ２６をＣＰＵＢ２９に接続し、出力装置Ｂ３０をＣＰＵＡ２５に接続して切替前の確認を実施する。
【００２１】
次に、実施の形態３の動作事例について図６を用いて説明する。
待機系ＣＰＵＢ２９のプログラムまたはデータベースの修正（ステップＳ６１）及び修正したプログラムの実行（ステップＳ６２）は、実施の形態１と同様にして行う。待機系のＣＰＵＢ２９に主系のＣＰＵＡ２５の出力結果を取り込む（ステップＳ６３）ことにより、実施の形態２の比較装置３５と同一の処理（ステップＳ６４）を実施し、その処理結果を保守用入力端末２４にて表示（ステップＳ６５）し、ユーザに提示する。
【００２２】
実施の形態４．
図７は、この発明の実施の形態４によるプラント監視装置のハードウェア構成を示す図である。
図において、２１〜３０、３３〜３５は図３におけるものと同一のものである。
３６は保守用入力端末２４に広域通信網を介して接続された遠隔保守用端末である。
図８は、この発明の実施の形態４によるプラント監視装置の動作を示すフロー図である。
【００２３】
実施の形態２と同様の構成で、メンテナンスを現地にて実施するだけでなく、遠隔地からもシステムメンテナンスを可能にするためには、保守用入力端末２４を広域通信網に接続し、遠隔地からＣＰＵの切替ができるようにする。図７は、遠隔地からプログラムあるいはデータベースを無停止保守するための構成で、保守用入力端末２４に広域通信網を接続、遠隔保守用端末３６と接続する。
遠隔保守用端末３６による遠隔地からの指令により、プラント監視装置２１の無停止保守切替ができるようにするために、比較装置３５と保守用入力端末２４を接続する構成とし、比較結果は保守用入力端末２４を通じて遠隔保守用端末３６から監視できる。
また、回線切替装置２７の切替も保守用入力端末３６を回線切替装置２７と接続した構成とすることにより、遠隔保守用端末３６を通じて回線切替を行うことができる。
【００２４】
次に、実施の形態４の動作事例について図８を用いて説明する。
遠隔保守用端末３６から修正されたプログラムまたはデータを、保守用入力端末２４へ転送する（ステップＳ８１）。保守用入力端末２４から、待機系ＣＰＵＢ２９に修正プログラムまたはデータをローディングする（ステップＳ８２）。
ＣＰＵＢ２９でプログラムを実行する（ステップＳ８３）。比較装置３５からデータ比較内容を、保守用入力端末２４を通じ遠隔保守用端末３６に表示する（ステップＳ８４）。表示内容が妥当であれば遠隔保守用端末３６から、保守用入力端末２４を通じて、回線切替装置２７に主系と待機系の切替指示を出力する（ステップＳ８５）。回線切替装置２７の切替を実施する（ステップＳ８６）。
【００２５】
さらにコスト低減を行うために、比較装置３５の機能を保守用入力端末２４にインストールし、それぞれの分配器Ａ３３、Ｂ３４から直接保守用入力端末２４にデータを取り込む構成とし、比較装置３５のハードウェアを削除してもよい。
なお、遠隔保守用端末を用いて、修正用プログラムまたはデータの入力や、比較結果の表示は、実施の形態３でも行うことができる。
【００２６】
【発明の効果】
この発明は、以上説明したように構成されているので、以下に示すような効果を奏する。
プラント監視に関する処理を行う第一のＣＰＵ、第一のＣＰＵの処理と同じ処理を行う第二のＣＰＵ、第一のＣＰＵ及び第二のＣＰＵに接続され、第一のＣＰＵの出力及び第二のＣＰＵの出力のいずれかを選択して出力する回線切替装置、第一のＣＰＵと回線切替装置の間に接続され、第一のＣＰＵの出力を表示する第一のラインモニタ、第二のＣＰＵと回線切替装置の間に接続され、第二のＣＰＵの出力を表示する第二のラインモニタ、及び修正用のプログラムまたはデータを入力する保守用端末を備え、第一のＣＰＵの出力が上記回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力が表示された第二のラインモニタの表示と、第一のＣＰＵの出力が表示された第一のラインモニタの表示とを比較して、第二のＣＰＵの処理内容をユーザにより確認した後、回線切替装置の出力を第一のＣＰＵから第二のＣＰＵに切替えるので、第一のＣＰＵから第二のＣＰＵへの出力の切替え前に修正されたプログラムまたはデータベースを用いた処理内容をユーザがラインモニタ上で確認できる。
【００２７】
また、プラント監視に関する処理を行う第一のＣＰＵ、第一のＣＰＵの処理と同じ処理を行う第二のＣＰＵ、第一のＣＰＵ及び第二のＣＰＵに接続され、第一のＣＰＵの出力及び第二のＣＰＵの出力のいずれかを選択して出力する回線切替装置、第一のＣＰＵと回線切替装置の間に接続され、第一のＣＰＵの出力を分配する第一の分配器、第二のＣＰＵと回線切替装置の間に接続され、第二のＣＰＵの出力を分配する第二の分配器、第一の分配器から分配された第一のＣＰＵの出力及び第二の分配器から分配された第二のＣＰＵの出力が入力される比較手段、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を比較手段で比較して相違点を保守用端末に出力して、第二のＣＰＵの処理内容をユーザにより確認した後、回線切替装置の出力を第一のＣＰＵから第二のＣＰＵに切替えるので、切替え前に修正されたプログラムまたはデータベースを用いた処理内容をユーザが保守用端末で確認できる。
【００２８】
また、プラント監視に関する処理を行う第一のＣＰＵ、第一のＣＰＵの処理と同じ処理を行うと共に第一のＣＰＵの出力が入力される第二のＣＰＵ、第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を第二のＣＰＵで比較して相違点を保守用端末に出力して、第二のＣＰＵの処理内容をユーザにより確認した後、回線切替装置の出力を第一のＣＰＵから第二のＣＰＵに切替えるので、切替え前に修正されたプログラムまたはデータベースを用いた処理内容をユーザが保守用端末で確認できる。
【００２９】
さらに、プラント監視に関する処理を行う第一のＣＰＵ、第一のＣＰＵの処理と同じ処理を行うと共に出力が第一のＣＰＵに入力される第二のＣＰＵ、第一のＣＰＵ及び第二のＣＰＵに接続され、第一のＣＰＵの出力及び第二のＣＰＵの出力のいずれかを選択して出力する回線切替装置、及び修正用のプログラムまたはデータを入力する保守用端末を備え、第一のＣＰＵの出力が回線切替装置によって選択されているとき、保守用端末から入力された修正用のプログラムまたはデータにより、第二のＣＰＵのプログラムまたはデータベースを修正処理し、修正済みのプログラムまたはデータベースを用いて処理した第二のＣＰＵの出力と第一のＣＰＵの出力を第一のＣＰＵで比較して相違点を保守用端末に出力して、第二のＣＰＵの処理内容をユーザにより確認した後、回線切替装置の出力を第一のＣＰＵから第二のＣＰＵに切替えるので、切替え前に修正されたプログラムまたはデータベースを用いた処理内容をユーザが保守用端末で確認できる。
【００３０】
また、比較手段は、保守用端末にインストールされているので、比較装置に要する費用を削減できる。
【００３１】
さらにまた、保守用端末は、回線切替装置と接続され、保守用端末に広域通信網を介して接続された遠隔保守用端末を備え、遠隔保守用端末は、修正用のプログラムまたはデータの入力、及び第一のＣＰＵと第二のＣＰＵの出力の相違点の出力、並びに回線切替装置の切替えを行うので、遠隔からプログラムまたはデータベースの修正、及び修正の確認、並びにＣＰＵの出力の切替えを行うことができる。
【図面の簡単な説明】
【図１】この発明の実施の形態１によるプラント監視装置のハードウェア構成を示す図である。
【図２】この発明の実施の形態１によるプラント監視装置の動作を示すフロー図である。
【図３】この発明の実施の形態２によるプラント監視装置のハードウェア構成を示す図である。
【図４】この発明の実施の形態２によるプラント監視装置の動作を示すフロー図である。
【図５】この発明の実施の形態３によるプラント監視装置のハードウェア構成を示す図である。
【図６】この発明の実施の形態３によるプラント監視装置の動作を示すフロー図である。
【図７】この発明の実施の形態４によるプラント監視装置のハードウェア構成を示す図である。
【図８】この発明の実施の形態４によるプラント監視装置の動作を示すフロー図である。
【図９】従来のプラント監視装置のハードウェア構成を示す図である。
【符号の説明】
２１ プラント監視装置、  ２２  受信装置、 ２３  伝送路、
２４ 保守用入力端末、  ２５  主系のＣＰＵＡ、
２６ 主系の出力装置Ａ、  ２７  回線切替装置、
２９ 待機系の中央処理装置ＣＰＵＢ、  ３０  待機系の出力装置Ｂ、
３１ 主系のラインモニタＡ、  ３２  待機系のラインモニタＢ、
３３ 主系の分配器Ａ、  ３４  待機系の分配器Ｂ、 ３５  比較装置、
３６  遠隔保守用端末。
【図１】
0003629155.tif 000002
【図２】
0003629155.tif 000003
【図３】
0003629155.tif 000004
【図４】
0003629155.tif 000005
【図５】
0003629155.tif 000006
【図６】
0003629155.tif 000007
【図７】
0003629155.tif 000008
【図８】
0003629155.tif 000009
【図９】
0003629155.tif 000010